(57)【要約】【課題】長時間にわたり、視認性良く帰還路を示すことができる消防用ホースを提供する。【解決手段】織物１０からなるジャケットを有する消防用ホースであって、前記織物１０が、綾織部１および杉綾織部２をホース長さ方向に並べて配置してなり、前記綾織部１が順綾目構造を有し、前記杉綾織部２が順綾目構造２１および逆綾目構造２２を有し、ホースを扁平に潰した平面部の略中央に、前記杉綾織部２が配置されてなることを特徴とする。【選択図】図１
2019150276.tif 000002
【特許請求の範囲】
【請求項１】
織物からなるジャケットを有する消防用ホースであって、前記織物が、綾織部および杉綾織部をホース長さ方向に並べて配置してなり、前記綾織部が順綾目構造を有し、前記杉綾織部が順綾目構造および逆綾目構造を有し、ホースを扁平に潰した平面部の略中央に、前記杉綾織部が配置されてなる消防用ホース。
【請求項２】
前記織物が、前記綾織部および杉綾織部を、ホース長さ方向に２列ずつ交互に有する請求項１記載の消防用ホース。
【請求項３】
前記ホースを扁平に潰したとき、その表裏の平面部の略中央に、前記杉綾織部が配置されてなる請求項１または２に記載の消防用ホース。
【請求項４】
前記杉綾織部の周方向長さの合計が、前記ホースの周囲長の２０％〜８０％である請求項１〜３のいずれかに記載の消防用ホース。
【請求項５】
前記杉綾織部の経糸が、第１の糸および第２の糸からなり、前記第１の糸が、前記綾織部の経糸と同じ糸であり、前記第２の糸が、前記第１の糸とは異なる着色糸である請求項１〜４のいずれかに記載の消防用ホース。
【請求項６】
前記杉綾織部の経糸が、第１の糸および第２の糸からなり、前記第１の糸が、前記綾織部の経糸とは異なる着色糸であり、前記第２の糸が、前記第１の糸および前記綾織部の経糸とは異なる着色糸である請求項１〜４のいずれかに記載の消防用ホース。
【発明の詳細な説明】
【技術分野】
【０００１】
本発明は消防用ホースに関し、詳しくは、暗所等の火災現場等から、消防隊員が展張された消防ホースを頼りに帰還する際に、長時間にわたり視認性良く帰還路を示すことができて、火災現場の建物等に奥深く入りこんだ消防隊員を安全かつ迅速に帰還させる誘導機能に優れた消防用ホースに関する。
【背景技術】
【０００２】
ビル火災等の消火活動では、消防隊員は放水ノズルを抱え、その放水ノズルに連結された消防用ホースを引き回し展張させながら、建物奥深くなどの火災現場まで侵入し、消火に当たる。そして、鎮火したとき、鎮火の前であっても現場の状況によって退避すべきと判断されたとき、要救助者を連れて退避させるとき、あるいは水を使い切ったとき等は、展張された消防用ホースや明かりなどを帰還路の道案内にして、ビル等の火災建物の外へ脱出する。
【０００３】
その際、通常、夜間や火災を起こしたビル等が停電状態のとき、消防隊員は、暗い闇と煙の中で視界が悪く複雑な構造をした建屋内で、展張された消防用ホースのラインを唯一の頼りにして帰還しなければならないことが多くある。
【０００４】
したがって、そのような状況下でも、消防隊員が消防用ホースを見たとき、退路として進むべき方向が瞬時に確実に視認できる消防用ホースの開発が求められ、それに対応すべく種々の提案がされてきた。
【０００５】
特許文献１は、消防用ホースのジャケットを２／１斜文織構造の織物で構成し、斜線模様部と疑似斜線模様部とを組み合わせて、Ｖ字形や逆Ｖ字形の連続模様にすることを開示する。しかしながら、特許文献１の消防ホースは、Ｖ字形および逆Ｖ字形の形状が、それぞれ左右非対称であり、必ずしも視認性がよいものではなく、一瞬で脱出方向を判断することができなかった。
【先行技術文献】
【特許文献】
【０００６】
【特許文献１】特許第６１１６７３２号公報
【発明の概要】
【発明が解決しようとする課題】
【０００７】
本発明の目的は、上述した点に鑑み、長時間にわたり、視認性良く帰還路を示すことができる消防用ホースを提供することにある。
【課題を解決するための手段】
【０００８】
本発明の目的を達成する消防用ホースは、織物からなるジャケットを有する消防用ホースであって、前記織物が、綾織部および杉綾織部をホース長さ方向に並べて配置してなり、前記綾織部が順綾目構造を有し、前記杉綾織部が順綾目構造および逆綾目構造を有し、ホースを扁平に潰した平面部の略中央に、前記杉綾織部が配置されてなることを特徴とする。
【発明の効果】
【０００９】
本発明の消防用ホースによれば、ホースの腹部を杉綾織部で構成したことにより、視認性に優れ、帰還路の方向を瞬時、かつ確実に判断することができる。また織物の模様として逆Ｖ字形が形成されるので耐久性が優れ、長時間にわたり逆Ｖ字形を視認することができる。これにより逆Ｖ字形の頂点が示す方向が水源側（消防車または給水栓の方向）、すなわち脱出すべき方向であることを瞬時に判断することができる。
【００１０】
前記織物は、前記綾織部および杉綾織部を、ホース長さ方向に２列ずつ交互に有することができる。また、前記ホースを扁平に潰したとき、その表裏の平面部の略中央に、前記杉綾織部が配置されるとよい。前記杉綾織部の周方向長さの合計は、前記ホースの周囲長の２０％〜８０％であるとよい。
【００１１】
前記杉綾織部の経糸は、第１の糸および第２の糸からなり、前記第１の糸が、前記綾織部の経糸と同じ糸であり、前記第２の糸が、前記第１の糸とは異なる着色糸にすることができる。または前記杉綾織部の経糸は、第１の糸および第２の糸からなり、前記第１の糸が、前記綾織部の経糸とは異なる着色糸であり、前記第２の糸が、前記第１の糸および前記綾織部の経糸とは異なる着色糸にすることができる。
【図面の簡単な説明】
【００１２】
【図１】本発明の消防用ホースの織物の実施形態において長さ方向の一部を展開して例示する模式図である。
【図２】本発明の消防用ホースの織物の実施形態において杉綾織部を含む織組織を例示する図である。
【図３】本発明の消防用ホースの織物の実施形態を例示する要部の撮像図である。
【図４】特許文献１の消防用ホースの織物（比較例）の要部の撮像図である。
【発明を実施するための形態】
【００１３】
以下、更に詳しく本発明の消防用ホースについて、説明する。
本発明の消防用ホースは、ホース長さ方向に配される経糸と、ホース長さ方向中心軸の周りに螺旋状に配される緯糸により、連続する筒状に織成した筒状織物からなるジャケットを有する。またジャケットの内面にゴムまたは合成樹脂からなる被覆層を有する。
【００１４】
図１は、消防用ホースのジャケットを構成する織物１０について、ホース長さ方向の一部を切り取り、更に消防用ホースを扁平にした時の一方の縁部（耳部）に沿って切り、展開したときの模式図である。織物１０は、綾織部１および杉綾織部２をホース長さ方向に並べ、ホース周方向に交互に配置されている。杉綾織部２は逆Ｖ字形の模様に描かれ、その頂点が示す方向が、水源側の方向であり脱出方向となる。図示の例は、消防用ホースの表側および裏側の略中央部（腹部）に杉綾織部２が配置され、合計２列の杉綾織部２が形成される。杉綾織部２の数は好ましくは１列から５列、より好ましくは１列から３列、更に好ましくは２列であるとよい。周方向に間隔をあけて配置される杉綾織部２の間には、綾織部１が配置される。
【００１５】
綾織部１は、順綾目構造を有し、杉綾織部２は、順綾目構造２１および逆綾目構造２２を有する。綾織部１の順綾目構造および杉綾織部２の順綾目構造２１は、隣接して形成され、更に杉綾織部２の順綾目構造２１に隣接して逆綾目構造２２が形成される。また杉綾織部２の逆綾目構造２２の順綾目構造２１とは反対側に綾織部１の順綾目構造が隣接する。
【００１６】
杉綾織部２の周方向長さの合計（ｌ2＋ｌ2）は、消防用ホースの周囲長、即ち織物１０の周囲長Ｌに対し、好ましくは２０％〜８０％、より好ましくは３０％〜７０％であるとよい。杉綾織部２の割合をこのような範囲内にすることにより、杉綾織部２の模様（逆Ｖ字形）の視認性を高くし、退避方向（水源側の方向）をより早く、確実に判断することができる。
【００１７】
図２は、織物１０の杉綾織部２を中心にした織組織を部分的に例示する説明図である。上述した通り、綾織部１は順綾目からなり、杉綾織部２は、順綾目および逆綾目からなる。綾織部１の順綾目は、経糸５（図中、白抜きで表す。）と緯糸６（図中、横線のハッチングで表す。）とからなる２／１斜文織構造である。杉綾織部２の順綾目は、第１の糸３（図中、白抜きで表す。）および第２の糸４（図中、斜線のハッチングで表す。）と、緯糸６（図中、横線のハッチングで表す。）とからなる右上がり模様の２／１斜文織構造である。また、杉綾織部２の逆綾目は、第１の糸３（図中、白抜きで表す。）および第２の糸４（図中、斜線のハッチングで表す。）と、緯糸６（図中、横線のハッチングで表す。）とからなる右下がり模様の２／１斜文織構造である。
【００１８】
図２の例は、杉綾織部２の経糸３（第１の糸）が、綾織部１の経糸５と同じ糸であり、杉綾織部２の経糸４（第２の糸）が、経糸３（第１の糸）の色とは異なる着色糸である織物を示す。なお、緯糸６は、織物の中に入り込むため特に限定されない。経糸３および経糸５は、白または無着色にすることができる。経糸４の色は、特に限定されるものではないが、経糸３の色に対し明度および／または彩度が異なる色であるとよい。着色の手段は特に制限されるものではなく、染料、顔料、蛍光剤等を用いて着色することができる。
【００１９】
別の実施形態として、杉綾織部２の経糸３（第１の糸）および経糸４（第２の糸）を、綾織部１の経糸５の色とは異なる着色糸にすることができる。このとき、経糸３（第１の糸）および経糸４（第２の糸）は、互いに異なる色の着色糸である。この場合も、緯糸６は、織物の中に入り込むため特に限定されない。経糸５は、白または無着色にすることができる。経糸３および経糸４の色は、特に限定されるものではないが、少なくとも一方が経糸５の色に対し明度および／または彩度が異なる色であるとよい。着色の手段は特に制限されるものではなく、染料、顔料、蛍光剤等を用いて着色することができる。
【００２０】
経糸３，４，５および緯糸６として、通常の消防用ホースに用いられる繊維、例えばポリエステル等のフィラメント糸や紡績糸を使用することができる。消防用ホースのジャケットを構成する筒状織物は、サーキュラー（円型）織機を用いて製造することができる。
【実施例】
【００２１】
実施例
図２に示した織組織を有し、経糸３，４，５として１１００ｄｔｅｘのポリエステル嵩高フィラメント糸の２本撚り糸を用い、緯糸６としてポリエステルフィラメント糸（１１００ｄｔｅｘ）の４本撚り糸を用いて、経糸の総本数７０４本、緯糸の打込数４６山／１０ｃｍとして、呼び径ｄ＝６５ｍｍの消防ホース用の筒状織物（ホースジャケット）を、サーキュラー（円型）織機を用いて製造した。なお、経糸３，５の色は白（素地）、経糸４の色は緑とした。
【００２２】
上記で得られた筒状織物の内周側に、押出成形されたチューブ（被覆層）を、挿入・接着し、杉綾部が平面部の略中央になるようにホースを扁平に潰し、消防用ホースを製造した。得られた消防用ホースの腹部に形成された杉綾部を要部として観察した撮像図を図３に示す。その杉綾模様は、順綾目構造および逆綾目構造が、その境界線に対しほぼ線対称であり、図示された逆Ｖ字形が整い視認性に優れたものであった。これにより逆Ｖ字形の頂点が示す方向が水源側（消防車または給水栓の方向）、すなわち脱出すべき方向であることを瞬時に判断することができる。
【００２３】
比較例
実施例１の消防用ホースにおいて、図２の織組織の代わりに、特許文献１（請求項１）に記載された２／１斜文織構造としたことを除き、実施例１と同様にして消防用ホースを製造した。得られた消防用ホースの腹部に形成された２／１斜文織構造を要部として観察した撮像図を図４に示す。２／１斜文織構造に描かれた模様は、左右の斜線模様の境界線に対し非対称であり、視認性が劣り水源側（消防車または給水栓）の方向である脱出方向を瞬時に判断できるものではなかった。
【符号の説明】
【００２４】
１０：織物
１：綾織部
２：杉綾織部
２１：順綾目構造
２２：逆綾目構造
３：第１の糸（経糸）
４：第２の糸（経糸）
５：経糸
６：緯糸
【図１】
2019150276.tif 000003
【図２】
2019150276.tif 000004
【図３】
2019150276.tif 000005
【図４】
2019150276.tif 000006